(57)【要約】【課題】  麻雀牌を表示した複数の入球口からなる入球口列の一端外側を通過する遊技球をその一端の側の入球口に入球しやすくする。【解決手段】  雀球遊技機１０は、麻雀牌を表示した複数の入球口３０からなる入球口列３４を有する遊技盤２２と、遊技盤２２に遊技球を発射する発射レバー３２と、発射手段３２によって発射された遊技球を入球口列３４の一端外側を案内して入球口列３４の上方から排出するガイドレール７１と、ガイドレール７１の入球口列３４の一端側上方に形成した遊技球を排出可能な中間排出口７２と、発射レバー３２によって発射された遊技球の通過を許容し、かつ戻ってきた遊技球を中間排出口７２から排出する逆流球排出機構６０と、を備えている。【選択図】      図２
2005177327.tif 000002
【特許請求の範囲】
【請求項１】
麻雀牌を表示した複数の入球口からなる入球口列を有する遊技盤と、
前記遊技盤に遊技球を発射する発射手段と、
前記発射手段によって発射された遊技球を前記入球口列の一端外側を案内して前記入球口列の上方から排出するガイドレールと、
前記ガイドレールの前記入球口列の一端側上方に形成した前記遊技球を排出可能な中間排出口と、
前記発射手段によって発射された遊技球の通過を許容し、かつ戻ってきた遊技球を前記中間排出口から排出する逆流球排出手段と、
を備えたことを特徴とする雀球遊技機。
【請求項２】
前記逆流球排出手段は、前記発射手段によって発射された遊技球に押されて該遊技球の通過を許容し、かつ戻ってきた遊技球を前記中間排出口から排出する逆流球排出片を有していることを特徴とする請求項１に記載の雀球遊技機。
【請求項３】
前記ガイドレールの遊技球排出端から排出された前記遊技球を左右に移動する移動部材によって、片側に排出する片側排出手段を備えたことを特徴とする請求項１又は２に記載の雀球遊技機。
【発明の詳細な説明】
【技術分野】
【０００１】
本発明は、麻雀牌を表示した複数の入球口からなる入球口列を有する遊技盤に遊技球を発射し、その遊技球が入球した入球口の麻雀牌の組み合わせによって得点を得る雀球遊技機、特に、入球口列の一方の側の入球口に遊技球を入球しやすくした雀球遊技機に関する。
【背景技術】
【０００２】
従来、雀球遊技機は、麻雀牌を表示した複数の入球口からなる入球口列を有する遊技盤に発射された遊技球を、前記遊技盤の外周壁に対して離間して沿ったガイドレールによって前記入球口列の一端から前記入球口列の上方に案内して排出し、該遊技球が落下して入球した前記入球口の麻雀牌の表示の組み合わせによって得点を得るようになっている（例えば、特許文献１参照）。
【０００３】
すなわち、雀球遊技機は、遊技者によって遊技メダルがメダル投入口に投入されると、例えば、１ゲーム当たり１４個の麻雀牌の図柄を画像表示装置の手配表示部に自動的に、かつ無作為に配牌表示する。遊技者は、その手配表示部の配牌を見て、どのような役で上がるかを決めて、その役を成立させるために不要な牌である捨牌の図柄に対応するボタンを押す。すると、捨牌の図柄が手配表示部から消えて捨牌表示部に表示される。
【０００４】
その後、遊技者は、入球口列の内、役を成立させる牌の図柄を表示してある所望の入球口を狙って、遊技球を発射させる。そして、遊技球が入球した入球口の図柄と同じ図柄が画像表示装置のツモ牌表示部にツモ牌として表示される。しかし、遊技球は狙いどおりに所望の入球口に入球するとは限らない。このため、遊技者はツモ牌が所望の牌であるか否かを確認して、そのツモ牌が所望の牌でないときには、ツモ切りボタンを押してツモ牌をツモ切りする。もし、ツモ牌が所望の牌であるときは、他の不要と判断した新たな捨牌の図柄に対応するボタンを押して捨牌をする。
【０００５】
遊技者はこのような動作を繰り返して聴牌したとき、リーチボタンを押す。遊技球が所望の牌の図柄を表示してある入球口に入球して、ツモ牌表示部にその所望の牌の図柄が表示されたとき、所望の役が成立したことになり、遊技者は、聴牌確認ボタンを押してゲームを終了する。最後、役の得点に応じたメダルが排出される。
【０００６】
しかし、上記の動作において、ツモ牌を得るのに発射することのできる遊技球の数は限られているので、その数だけの遊技球を発射する間に、役が成立しない場合には、得点を得られないまま、そのゲームは、終了となる。
【０００７】
このため、遊技者は、限られた遊技球数において、所望の役を成立させるため、所望のツモ牌に相当する牌を表示してある入球口を狙い打ちする必要がある。この場合、遊技者は、発射レバーで遊技球を発射する雀球遊技機の場合には（例えば、特許文献２参照）、発射レバーの弾き加減を調節して遊技球の発射の勢いを加減し、所望のツモ牌を表示してある入球口を狙い打ちしていた。また、ダイヤル状の発射ハンドルで遊技球を発射する雀球遊技機の場合には（例えば、特許文献１参照）、発射ハンドルの回転角度を調節して発射モータによる遊技球の発射の勢いを調節して、所望のツモ牌に相当する牌を表示してある入球口を狙い打ちしていた。
【０００８】
【特許文献１】特開平７−３９６２３号公報（図１参照）
【特許文献２】特開２０００−１８９５５８号公報（図１参照）
【発明の開示】
【発明が解決しようとする課題】
【０００９】
しかし、従来の雀球遊技機における、ガイドレールは、遊技盤の外周壁に沿って、遊技球が通過できる程度の間隔を隔てて配設されて、例えば、図２に示すガイドレール７１とほぼ同じ長さに形成されていた。このため、ガイドレールの遊技球排出端から排出された遊技球は、放物線を描いて入球口列の中間部分に落下することが多く、ガイドレールを設けてある側（入球口列の一端側）の入球口は狙い打ちしにくかった。
【００１０】
すなわち、入球口列の入球口の内、遊技球が通過する側の入球口を狙い打ちするには、遊技球の発射の勢いを弱くして、遊技球をガイドレールの遊技球排出端から真下に落下させる必要があった。いわゆる、遊技球をチョロ打ちする必要があった。しかし、遊技球の発射の勢いをあまり弱くすると、遊技球がガイドレールの遊技球排出端に到達しないで、ガイドレールを戻る逆流球である、いわゆる、ファール球になることがあり、そのファール球を発射し直さなければならなかった。場合によっては、ファール球を何回も打ち直すことがあった。このため、入球口列の一端側の入球口を狙い打ちするには、遊技球の発射の勢いを微妙に調節する必要があり、時間を要して、遊技性を損なうことがあった。
【００１１】
本発明は、麻雀牌を表示した複数の入球口からなる入球口列の一端外側を通過する遊技球をその一端の側の入球口に入球しやすくした雀球遊技機を提供することを目的としている。
【課題を解決するための手段】
【００１２】
請求項１記載の発明は、麻雀牌を表示した複数の入球口（３０）からなる入球口列（３４）を有する遊技盤（２２）と、前記遊技盤（２２）に遊技球を発射する発射手段（３２）と、前記発射手段（３２）によって発射された遊技球を前記入球口列（３４）の一端外側を案内して前記入球口列（３４）の上方から排出するガイドレール（７１）と、前記ガイドレール（７１）の前記入球口列（３４）の一端側上方に形成した前記遊技球を排出可能な中間排出口（７２）と、前記発射手段（３２）によって発射された遊技球の通過を許容し、かつ戻ってきた遊技球を前記中間排出口（７２）から排出する逆流球排出手段（６０）と、を備えたことを特徴とする雀球遊技機（１０）である。
【００１３】
請求項２に記載の発明は、請求項１に記載の雀球遊技機（１０）の発明において、前記逆流球排出手段（６０）は、前記発射手段（３２）によって発射された遊技球に押されて該遊技球の通過を許容し、かつ戻ってきた遊技球を前記中間排出口（７２）から排出する逆流球排出片（６３）を有していることを特徴とする。
【００１４】
請求項３に記載の発明は、請求項１又は２に記載の雀球遊技機（１０）の発明において、前記ガイドレール（７１）の遊技球排出端（７１ｂ）から排出された前記遊技球を左右に移動する移動部材（２８）（２９）によって、片側に排出する片側排出手段（２６）（２７）を備えたことを特徴とする。
【００１５】
なお、括弧内の符号は、便宜的に、図面と対照し易くするために付したものであって、本発明の構成を何ら限定するものではない。
【発明の効果】
【００１６】
請求項１に記載の発明によれば、遊技球を逆流球排出手段によって中間排出口から入球口列の一端側に案内排出するようになっているので、従来と異なって、逆流球（いわゆる、ファール球）を何回も打ち直して、遊技球の発射の勢いを微妙に調整する必要がなくなり、遊技を速やかに進行させることができて、遊技性を高めることができる。
【００１７】
請求項２に記載の発明によれば、逆流球排出手段が、発射手段によって発射された遊技球に押されて該遊技球の通過を許容し、かつ最上位置を越えずに戻ってきた遊技球を中間排出口から排出する逆流球排出片を有しているので、簡単な構造で、入球口列の一端側の複数の入球口に確実に遊技球を排出することができて、遊技性を高めることができる。
【００１８】
請求項３に記載の発明によれば、ガイドレールの遊技球排出端から排出された遊技球を左右に移動する移動部材によって、片側に排出する片側排出手段を備えので、簡単な構造で、入球口列の片側の入球口に確実に遊技球を排出することができて、遊技性を高めることができる。
【発明を実施するための最良の形態】
【００１９】
以下、本発明の実施形態の雀球遊技機を図に基づいて説明する。図１は本実施形態の雀球遊技機１０の外観斜視図、図２は本雀球遊技機１０の遊技盤２２の正面図であり、第２開閉扉１９の中間部と上部側とを示し下部側部分を省略した正面図、図３は本雀球遊技機１０において遊技球がガイドレールの途中で戻る場合の動作説明用の図、図４は本雀球遊技機１０において遊技球がガイドレールの遊技球排出端から排出される場合の動作説明用の図である。
【００２０】
雀球遊技機１０は、略箱体形状の裏枠１１と、この裏枠１１の前部左側に開閉連結支持機構１２によって開閉できるように支持された前枠１３とを備えている。
【００２１】
前枠１３は、裏枠１１に開閉連結支持機構１２によって開閉できるように支持した第１開閉扉１７と、この第１開閉扉１７の裏面側において裏枠１１に開閉連結支持機構１２によって開閉できるように支持した第２開閉扉１９とを備えている。すなわち、第１開閉扉１７と、裏枠１１との間に弟２開閉扉１９を設けてある。第１開閉扉１７は、ガラス枠部１５と操作部１６とを上下一体に結合して形成してある。
【００２２】
第１開閉扉１７は、裏枠１１に先に閉じられた第２開閉扉１９を閉塞して、第２開閉扉１９の前部に設けてある開閉連結支持機構１２とは反対側に設けた施錠機構２０によって裏枠１１に施錠されるようになっている。
【００２３】
第１開閉扉１７のガラス枠部１５は、ほぼ半円状に開口する開口部２１と、この開口部２１の外周に亘って設けた演出用ランプ部２３と、不図示のガラス支持機構とを備えている。また、第１開閉扉１７の操作部１６は、雀球遊技機１０の後方（奥側）から前方（遊技者側）に向かって下方に傾斜した上部面１６ａと、この上部面１６ａの前方縁部から下方に向かって丸みを帯びて膨出する下部面１６ｂとによって、遊技盤２２の下部側において前方に膨出した形状になっている。
【００２４】
操作部１６の上部面１６ａには、操作パネル３３を配設してある。この操作パネル３３には、遊技に必要な麻雀牌の配牌状況を含む各種情報を表示する液晶ディスプレイ等からなる画像表示部３５と、この画像表示部３５の下側縁部の長手方向に亘って配列した複数（本実施形態では、配牌の１３牌とツモ牌に対応する１牌とに相当する１４個）の捨牌ボタン３６と、画像表示部３５の左に位置するベット（ＢＥＴ）ボタン３７、右に位置するリーチボタン３９とを設けてある。なお、捨牌ボタン３６は、遊技者によって適時押圧されると、雀球遊技機１０に捨牌動作を行わせるようになっている。
【００２５】
さらに、上部面１６ａにおける操作パネル３３の左方には、メダル投入口４０、及びメダル返却ボタン４１を配設してあり、操作パネル３３の右方には、所定の操作を行うための各種操作ボタン４２を配設してある。また、操作部１６の下部面１６ｂ上部の左右両端部には、演出用ランプ４３を夫々配設してある。
【００２６】
画像表示部３５には、図示しないが、捨牌、チャンス役、聴牌時の上がり牌、メダル残数、ドラ牌・裏ドラ牌、ツモ牌、或いはゲームの流れに対応するキャラクタ等を表示してある。また、画像表示部３５の表示は、例えば、メダル投入口４０から遊技メダルが１枚投入された際、それまで表示されていたデモンストレーション画面が通常遊技画面に切り替わるようになっており、これにより、雀球遊技機１０が遊技球打ち出し可能な状態になったことを遊技者に知らせるようになっている。
【００２７】
一方、第２開閉扉１９は、第２開閉扉１９の上部側と中間部とを示し、下部側部分を省略した正面図である図２に示すように、上部側と中間部とに、ガラス枠部１５（図１参照）の開口部２１から見えるように遊技盤２２を設けてある。さらに、第２開閉扉１９は、図１に示すように、下部側に、メダル受皿４５と、このメダル受皿４５の上方、及び左方に夫々設けた放音部４６と、メダル受皿４５の右方に設けた発射手段である発射レバー３２、及び天狗４７と、メダル受皿４５の左下方に設けた灰皿４９とを備えている。さらに、メダル受皿４５の略中央部には、メダル排出口５０を設けてある。なお、発射レバー３２は、不図示のばねによって常時天狗４７から離れる方向に回転付勢されている。また、第２開閉扉１９の裏面側下部の２箇所には、上記２箇所の放音部４６に夫々対応するように不図示のスピーカを設けてある。
【００２８】
そして、遊技盤２２の外周には、円弧状の外周壁５１を形成してあり、この外周壁５１に沿ってガイドレール７１を配設してある。ガイドレール７１は、外周壁５１から遊技球が通過できる程度、離れた位置に設けてあり、入球口列３４の一端（図２において左端、以下、「一端」を「左端」と言う）から左端上方まで延びている。したがって、ガイドレール７１は、発射レバー３２によって発射された遊技球を外周壁５１とで案内して、入球口列３４の上方に排出するようになっている。
【００２９】
外周壁５１の端には、ゴム、弾性を有する樹脂等で形成された弾性部材５４を密着して設けてある。弾性部材５４は、当接した遊技球を入球口列３４の一端側方向（図２において、左側方向）に跳ね返すことができるように傾斜面５４ａを形成してある。
【００３０】
遊技盤２２の上位には、入球口指示ランプ７３を配設してある。入球口指示ランプ７３の下には、左から順に、左入球口７４、特別入球口作動ゲート７６、右入球口７５を配設してある。特別入球口作動ゲート７６の下方には、特別入球口７７を配設してある。特別入球口の両側には片側排出手段である左アタッカ２６と右アタッカ２７とを配設してある。左アタッカ２６は、移動部材分散片２８を有している。分散片２８は、雀球遊技機１０の作動中、常時、ガイド溝２６ａの案内によって左右方向に移動するようになっており、裏側には遊技球を受け入れて入球口列３４のほぼ左側半分に案内するガイド片２８ａを設けてある。右アタッカ２７も、移動部材である分散片２９を有している。分散片２９は、雀球遊技機１０の作動中、常時、ガイド溝２７ａの案内によって左右方向に移動するようになっており、裏側には遊技球を受け入れて入球口列３４のほぼ右側半分に案内するガイド片２９ａを設けてある。
【００３１】
なお、左アタッカ２６と右アタッカ２７とは必ずしも設ける必要はない。
【００３２】
左アタッカ２６、特別入球口７７、右アタッカ２７の下方には、入球口列３４を遊技盤２２の左右方向に沿って配設してある。入球口列３４は、詳細な図示は省略するが、例えば、一万から九万、及び一筒から九筒までの各麻雀牌を表示してある入球口、並びに東、南、西、北、白、発、中を夫々表示した入球口などの複数の入球口３０を備えている。なお、牌の種類は、上記に限定されることなく、他の組み合わせにしてもよい。また、入球口の数は、増やしてもよいし、減らしてもよい。
【００３３】
ガイドレール７１の入球口列３４の左端側上方には、ガイドレール７１を逆流してくる遊技球（逆流球）を排出できるように中間排出口７２を形成してある。中間排出口７２には、逆流球排出手段である逆流球排出機構６０を設けてある。逆流球排出機構６０は、発射されてガイドレール７１に案内されて上方に移動する遊技球の通過を許容し、かつ通過後、ガイドレール７１を逆流球となって戻ってきた遊技球を中間排出口７２から入球口列３４の左端側に案内排出するようになっている。
【００３４】
逆流球排出機構６０は、不図示のばねと、このばねによって反時計方向へ回転付勢力を受けてガイドレール７１によって回転止めされた回転体６１と、この回転体６１に設けた弾性板からなる逆流球排出片６３とを有している。逆流球排出片６３は、回転体６１とともに、通常、中間排出口７２を開いており、発射された遊技球に押されて中間排出口７２を閉じる方向に軸６２を中心に一旦回転してその遊技球の通過を許容し、その発射された遊技球が逆流球となってガイドレール７１を戻ってくる間に、元の位置に戻って中間排出口７２を開き、その逆流球を入球口列３４の左端側に案内排出するようになっている。
【００３５】
なお、逆流球排出片６３には、発射された遊技球の通過を容易にするため、弾性板を使用しているが、必ずしも弾性を備えている必要はない。また、逆流球排出機構は、回転体６１を使用することなく、逆流球排出片６３をガイドレール７１に直接設けて、逆流球排出片自身の弾性によって遊技球の移動方向を切り換える構成にしてもよい。
【００３６】
なお、図示しないが、各入球口、アタッカ２５等の上部には、所要のゲージ設定に応じて不図示の障害釘を多数本打ち込んである。
【００３７】
以上の構成において、遊技者は、メダル投入口４０にメダルを投入して、操作パネル３３の画像表示部３５に自動的、かつ無作為に配牌表示されると、捨牌の図柄に対応する捨牌ボタン３６を押して、不要な牌を捨てる。その後、遊技者は、所望のツモ牌を得るため、その所望のツモ牌の図柄を表示してある入球口３０を狙って、発射レバー３２で遊技球Ｂを発射させる（図２参照）。
【００３８】
次に、入球口列３４の一端側（図２の左端側）にある入球口３０に遊技球を入球させる動作を説明する。
【００３９】
遊技者は、発射レバー３２を操作して、図３に示すように、ガイドレール７１の遊技球排出端７１ａから流出しない程度の勢いを遊技球に与えて遊技球を発射する。発射された遊技球は、遊技盤２２の外周壁５１とガイドレール７１とに案内されて逆流球排出片６３を押し退けて回転体６１を回転させて移動し、ガイドレール７１の遊技球排出端７１ａの手前側まで移動して、ガイドレール７１を逆流する。この間に、回転体６１及び逆流球排出片６３は、図３に示す元の位置に復帰している。このため、逆流してきた遊技球Ｂ２は、逆流球排出片６３に案内されて、中間排出口７２から入球口列３４の左端側に排出される。
【００４０】
したがって、本実施形態の雀球遊技機１０は、中間排出口７２と、逆流球排出機構６０とを設けて、逆流球を入球口列３４の左端側に排出するようになっているので、入球口列３４の左端側の狙ったツモ牌の図柄を表示してある入球口に遊技球を入球させる確立が高まり、遊技性を高めることができる。しかも、逆流球である、ファール球を何回も打ち直す必要がなくなり、遊技を速やかに進行させることができて、遊技性を高めることができる。
【００４１】
次に、入球口列３４全体の入球口３０に遊技球を入球させる場合の動作説明をする。
【００４２】
遊技者は、発射レバー３２を操作して、図４に示すように、ガイドレール７１の遊技球排出端７１ａから排出できる勢いを遊技球に与えて遊技球を発射する。発射された遊技球Ｂ３は、遊技盤２２の外周壁５１とガイドレール７１とに案内されて遊技球排出端７１ａから流出する。遊技球排出端７１ａから流出した遊技球Ｂ３は、発射されたときの勢いに応じた放物線を描いて落下して、各遊戯部品の間を通り、入球口列３４のいずれかの入球口３０に入球する。
【００４３】
遊技球が、落下の途中、左入球口７４と右入球口７５との何れかに入球したときには、その入球口によって決められた牌がツモ牌としてツモ牌表示部に表示される。また、左アタッカ２６に入球した場合、遊技球は、移動する分散片２８のガイド片２８ａによって入球口列３４のほぼ左半分に落下する。さらに、右アタッカ２７に入球した場合、遊技球は、移動する分散片２９のガイド片２９ａによって入球口列３４のほぼ右半分に落下する。したがって、ガイドレール７１の遊技球排出端７１ａから排出された遊技球は、入球口列３４のいずれかの入球口３０に、ほぼ均等に入球することができる。
【００４４】
以上のようにして、遊技者が、入球口列３４の所望の入球口３０を狙い、操作レバー３２の弾き加減を調節して発射させた遊技球が入球した入球口３０の図柄が画像表示部３５にツモ牌として表示される。遊技者はツモ牌が所望の牌であるか否かを確認して、そのツモ牌が所望の牌でないときには、ツモ切りボタンを押してツモ牌をツモ切りする。もし、ツモ牌が所望の牌であるときは、他の不要と判断した新たな捨牌の図柄に対応する捨牌ボタン３６を押して捨牌をする。
【００４５】
遊技者はこのような動作を繰り返して聴牌したとき、リーチボタンを押す。遊技球が所望の牌の図柄を表示してある入球口に入球して、ツモ牌表示部にその所望の牌の図柄が表示されたとき、所望の役が成立したことになり、遊技者は、聴牌確認ボタンを押してゲームを終了する。最後、役の得点に応じたメダルが排出される。
【００４６】
以上の説明において、遊技球を発射させる勢いは、図３に示す状態が弱く、図４に示す状態が強くなっている。
【００４７】
また、以上の実施形態における雀球遊技機１０は、発射レバー３２によって遊技球を発射するようになっているが、遊技者がダイヤル状の発射手段である発射ハンドルを所望の角度に回転することによって発射モータで発射するようになっていてもよい。
【００４８】
さらに、本実施形態の雀球遊技機１０は、麻雀牌を自動的に配牌するようになっているが、遊技者が発射レバー３２を弾いて、或いは上記発射ハンドルを所望の角度に回転させて、遊技球を入球口列３４の入球口３０に入球させる手動配牌によって配牌するようにしてもよい。
【図面の簡単な説明】
【００４９】
【図１】本実施形態の雀球遊技機の外観斜視図である。
【図２】本雀球遊技機の遊技盤の正面図であり、第２開閉扉の中間部と上部側とを示し下部側部分を省略した正面図である。
【図３】本雀球遊技機において遊技球がガイドレールの途中で戻る場合の動作説明用の図である。
【図４】本雀球遊技機において遊技球がガイドレールの遊技球排出端から排出される場合の動作説明用の図である。
【符号の説明】
【００５０】
Ｂ      遊技球
Ｂ２    遊技球
Ｂ３    遊技球
１０      雀球遊技機
２２      遊技盤
２６      左アタッカ（片側排出手段）
２６ａ    ガイド溝
２７      右アタッカ（片側排出手段）
２７ａ    ガイド溝
２８      分散片（移動部材）
２８ａ    ガイド溝
２９      分散片（移動部材）
２９ａ    ガイド溝
３０      入球口
３２      発射レバー（発射手段）
３３      操作パネル
３４      入球口列
３５      画像表示部
３６      捨牌ボタン
３９      リーチボタン
４０      メダル投入口
５１      遊技盤の外周壁
５４      弾性部材
６０      逆流球排出機構（逆流球排出手段）
６３      逆流球排出片
７１      ガイドレール
７１ａ    遊技球排出端
７２      中間排出口
【図１】
2005177327.tif 000003
【図２】
2005177327.tif 000004
【図３】
2005177327.tif 000005
【図４】
2005177327.tif 000006